(57)【要約】      （修正有）【課題】利便性ならびに汎用性を備えた新たな防犯カメラ及び防犯カメラシステムを提供する。【解決手段】カメラ１は、オペレーティングシステムと通信機能３とを備えている。カメラ１は、通信機能３により、アプリ開発者が開発してインターネット上に公開されたアプリケーションプログラムを選択してインストールすることが可能なインストール機能部と、通信機能３により、オペレーティングシステムないしアプリケーションプログラムを、随時、最新の状態に保つことが可能なシステム更新機能部と、当該カメラ１による撮像情報を外部出力するための映像出力部４と、を少なくとも備えている。最初にインストールされ、あるいは、更新されたアプリケーションプログラム等は、カメラ１に内蔵された記憶媒体６に保存される。【選択図】図２
2020102846.tif 000002
【特許請求の範囲】
【請求項１】
オペレーティングシステムと通信機能とを備えたカメラであって，
前記通信機能により，インターネット上に公開されたアプリケーションプログラムを選択してインストールすることが可能なインストール機能部と，
前記通信機能により，前記オペレーティングシステムないし前記アプリケーションプログラムを，随時，最新の状態に保つことが可能なシステム更新機能部と，
当該カメラによる撮像情報を外部出力するための映像出力部と，
を少なくとも備えることを特徴とするカメラ。
【請求項２】
前記映像出力部が，HDMI（登録商標）部，ディスプレイポート部，USBポート部，リモートデスクトップ接続部のいずれか又は複数からなる請求項１に記載のカメラ。
【請求項３】
前記通信機能が，WiFi接続部，LAN接続部，SIM通信部のいずれか又は複数によって実行される請求項１又は２に記載のカメラ。
【請求項４】
当該カメラが，赤外線センサー，熱感知センサー，煙センサー，音声センサー，圧力センサー，振動センサー，磁気センサー，光電センサー，角度センサー，光センサー，タグ反応センサーのいずれか又は複数を備える請求項１から３のいずれか１項に記載のカメラ。
【請求項５】
前記オペレーティングシステムが，アンドロイド（登録商標）ＯＳである請求項１から４のいずれか１項に記載のカメラ。
【請求項６】
設置式である請求項１から５のいずれか１項に記載のカメラ。
【請求項７】
移動式である請求項１から５のいずれか１項に記載のカメラ。
【請求項８】
ドローンに備えられる請求項７に記載のカメラ。
【請求項９】
請求項１から８のいずれか１項に記載のカメラであって，
防犯又は／および監視の用途に用いられることを特徴とする防犯カメラ。
【請求項１０】
当該カメラが，ボックス型カメラ，ドーム型カメラ，パレット型カメラ，PTZカメラ，小型カメラのいずれかから選択される請求項９に記載の防犯カメラ。
【請求項１１】
請求項１から１０に記載のカメラないし防犯カメラのためのカメラ運用システムであって，
インターネット回線を通じて，
第三者が作成したデジタル物を受信するプログラム受信部と，
前記カメラ用プログラムを提供するためのプログラム提供部と，
を少なくとも備えるカメラ運用システム。
【請求項１２】
前記デジタル物が，プログラム，画像データ，APIのいずれか又は複数から選択される請求項１１に記載のカメラ運用システム。
【請求項１３】
さらに，インターネット回線を通じて，
カメラからのデータを受信するカメラデータ受信部と，
前記データの解析を行うデータ解析部と，
解析されたデータの送信を行うデータ送信部と，
を備える請求項１１に記載のカメラ運用システム。
【請求項１４】
オペレーティングシステムと通信機能とを備えたカメラの使用方法であって，
前記通信機能により，インターネット上に公開されたアプリケーションプログラムを選択して，当該カメラにインストールするインストール工程と，
前記通信機能により，前記オペレーティングシステムないし前記アプリケーションプログラムを，随時，最新の状態に保つ更新工程と，
を含むことを特徴とするカメラの使用方法。
【請求項１５】
当該カメラが，防犯又は／および監視の用途に用いられる請求項１４に記載のカメラの使用方法。
【発明の詳細な説明】
【技術分野】
【０００１】
本発明は，自己発展型カメラ等に関する。さらに詳しくいうと本発明は，好適には防犯カメラや監視カメラに用いられ，使用目的に応じてカスタマイズが容易な自己発展型カメラ，ならびにこれを用いるためのプラットフォームシステム等に関する。
【背景技術】
【０００２】
防犯カメラや監視カメラ（以下，これらをまとめて「防犯カメラ」という）は，飲食店などの店舗，エレベーター，鉄道車両，市街地の電柱など，様々な箇所に設置され，使用されている。このことから，防犯カメラは，社会のインフラとして欠かせないものとなっており，防犯カメラに関する様々な技術が提案されている（特許文献１，２）。
【先行技術文献】
【特許文献】
【０００３】
【特許文献１】特開２０１１−１１８６５０号公報
【特許文献２】特開２０１４−０４１５７０号公報
【発明の概要】
【発明が解決しようとする課題】
【０００４】
特許文献１には，店舗設置型の防犯カメラ装置に関する技術が開示されている。
特許文献２には，監視カメラ装置ならびにこれに用いられるプログラムに関する技術が開示されている。
これら先行技術における基本的な構成は，防犯カメラがこれを管理するための管理機器と有線的に接続され，一体となって機能を発揮するものであり，現在の技術の潮流といえる。
【０００５】
これらをはじめとして先行技術は，用いる防犯カメラに応じて，適切なプログラムをインストールした管理機器を選択することにより，様々な環境に対応した防犯カメラシステムを構築しうる点において有用である。
しかるに，これらの先行技術では，基本的な構成要素として，防犯カメラと管理機器，これら二つのハードが必要となることから，比較的，大掛かりな構成となってしまう。加えて，防犯カメラの設置場所などに応じて，管理機器の構造をカスタマイズすることが通常であった。これらの点などにおいて，現在の防犯カメラは，利便性や汎用性を損なっていると発明者は考えたものである。
【０００６】
上記事情を背景として，本発明では，利便性ならびに汎用性を備えた新たな防犯カメラならびに防犯カメラシステムの開発を課題とする。
【課題を解決するための手段】
【０００７】
発明者は，鋭意研究の結果，自己発展型の防犯カメラに想到し，発明を完成させたものである。
すなわち，本発明のカメラは，カメラそのものにオペレーティングシステムと通信機能とを備えることにより，ソフトウェアの自動更新機能を持たせ，最新の状態を保つことを可能とするものである。さらに，本発明のカメラは，設置個所や使用目的に応じて適切なアプリケーションプログラムをインストールすることにより，カスタマイズや最適化が容易となるものである。
【０００８】
かかる自己発展型カメラは，プラットホーム型カメラともいえるものであり，新たなビジネスモデルを提供するものである。
すなわち，プラットホーム型カメラは，そのままの状態においてはハード構成に従った標準的な機能を備えるに留まるものである。
しかるに，本発明のカメラの使用者は，当該カメラに備えられた通信機能を通じて，直接的又は間接的に，インターネット上に公開された多種多様なアプリケーションプログラムから，適切なアプリケーションプログラムを一つ又は複数，当該カメラにインストールすることができる。また，このインストール作業は，購入時や設置時などの初回に限定されず，適時，追加的に行うことができる。これにより，プラットホーム型カメラは，カスタマイズを行うことで設置個所や使用目的に応じたオンリーワンのカメラとすることができるとともに，ソフトウェアの自動更新により，常に最新の状態を保つことが可能となる。
さらに，プラットホーム型カメラの仕様・構成が公開されることにより，アプリ開発者は，当該ハードに応じたアプリケーションプログラムを自由に開発し，提供することが可能となる。
これらより，プラットホーム型カメラを開発するハード開発者，アプリケーションプログラムを開発するアプリ開発者，これら両者による開発がそれぞれ行われ，ハード，ソフト，それぞれの進化が促進され，優れたカメラの提供が可能となる。
【０００９】
同時に発明者は，自己発展型カメラの利便性を向上させるためのプラットフォームシステムに想到し，発明を完成させたものである。
すなわちプラットフォームシステムの基本的な役割として，自己発展型カメラをカスタマイズするためのアプリケーションプログラムの提供を行うものである。また，プラットフォームシステムの発展的な役割として，自己発展型カメラにより取得されたデータの受信や解析等を行い，自己発展型カメラ使用者へのフィードバックを行いうるサービスを提供しうるものである。
【００１０】
本発明は，以下の構成からなる。
本発明の第一の構成は，オペレーティングシステムと通信機能とを備えたカメラであって，
前記通信機能により，インターネット上に公開されたアプリケーションプログラムを選択してインストールすることが可能なインストール機能部と，
前記通信機能により，前記オペレーティングシステムないし前記アプリケーションプログラムを，随時，最新の状態に保つことが可能なシステム更新機能部と，
当該カメラによる撮像情報を外部出力するための映像出力部と，
を少なくとも備えることを特徴とするカメラである。
【００１１】
本発明の第二の構成は，前記映像出力部が，HDMI（登録商標）部，ディスプレイポート部，USBポート部，リモートデスクトップ接続部のいずれか又は複数からなる第一の構成に記載のカメラである。
本発明の第三の構成は，前記通信機能が，WiFi接続部，LAN接続部，SIM通信部のいずれか又は複数によって実行される第一又は第二の構成に記載のカメラである。
本発明の第四の構成は，当該カメラが，赤外線センサー，熱感知センサー，煙センサー，音声センサー，圧力センサー，振動センサー，磁気センサー，光電センサー，角度センサー，光センサー，タグ反応センサーのいずれか又は複数を備える第一から第三の構成に記載のカメラである。
本発明の第五の構成は，前記オペレーティングシステムが，アンドロイド（登録商標）ＯＳである第一から第四の構成に記載のカメラである。
本発明の第六の構成は，設置式である第一から第五の構成のいずれかに記載のカメラである。
本発明の第七の構成は，移動式である第一から第五の構成のいずれかに記載のカメラ。
本発明の第八の構成は，ドローンに備えられる第七の構成に記載のカメラである。
【００１２】
本発明の第九の構成は，第一から第八の構成に記載のカメラであって，
防犯又は／および監視の用途に用いられることを特徴とする防犯カメラである。
本発明の第十の構成は，当該カメラが，ボックス型カメラ，ドーム型カメラ，パレット型カメラ，PTZカメラ，小型カメラのいずれかから選択される第十の構成に記載の防犯カメラである。
【００１３】
本発明の第十一の構成は，第一から第十の構成に記載のカメラないし防犯カメラのためのカメラ運用システムであって，
インターネット回線を通じて，
第三者が作成したデジタル物を受信するプログラム受信部と，
前記カメラ用プログラムを提供するためのプログラム提供部と，
を少なくとも備えるカメラ運用システムである。
本発明の第十二の構成は，前記デジタル物が，プログラム，画像データ，APIのいずれか又は複数から選択される第十一の構成に記載のカメラ運用システムである。
本発明の第十三の構成は，さらに，インターネット回線を通じて，
カメラからのデータを受信するカメラデータ受信部と，
前記データの解析を行うデータ解析部と，
解析されたデータの送信を行うデータ送信部と，
を備える第十一の構成に記載のカメラ運用システムである。
【００１４】
本発明の第十四の構成は，オペレーティングシステムと通信機能とを備えたカメラの使用方法であって，
前記通信機能により，インターネット上に公開されたアプリケーションプログラムを選択して，当該カメラにインストールするインストール工程と，
前記通信機能により，前記オペレーティングシステムないし前記アプリケーションプログラムを，随時，最新の状態に保つ更新工程と，
を含むことを特徴とするカメラの使用方法である。
本発明の第十五の構成は，当該カメラが，防犯又は／および監視の用途に用いられる第十四の構成に記載のカメラの使用方法である。
【００１５】
本発明においてデジタル物とは，自己発展型カメラもしくはこれにより得られるデータの使用もしくは利用に供することが可能であって，電磁的に提供されるものとして定義される。このようなデジタル物として，例えば，アプリケーションプログラム，画像データ，APIなどが挙げられる。
【発明の効果】
【００１６】
本発明により，利便性ならびに汎用性を備えた新たな防犯カメラ等の提供が可能となった。
【図面の簡単な説明】
【００１７】
【図１】本発明の一実施の形態におけるカメラの構成を説明するための説明図である。
【図２】本発明の一実施の形態におけるカメラの構成を示す内部ブロックである。
【図３】本発明の一実施の形態におけるカメラの構成を示す内部ブロックである。
【図４】本発明の一実施の形態におけるカメラの構成を示す内部ブロックである。
【図５】本発明の一実施の形態におけるカメラにおけるプログラムのインストール方法の例を示した図。
【図６】本発明の一実施の形態におけるカメラの使用方法（インストール工程）を示す模式図である。
【図７】本発明の一実施の形態におけるカメラの使用方法（更新工程）を示す模式図である。
【図８】本発明の一実施の形態におけるカメラによる撮像情報を，遠く離れた監視者等のノートパソコンやスマートフォン等の端末に外部出力している状態を示す模式図である。
【図９】本発明の一実施の形態における防犯カメラとして用いられるドーム型カメラを示す斜視図である。
【図１０】本発明の一実施の形態における防犯カメラとして用いられるパレット型カメラを示す斜視図である。
【図１１】本発明の一実施の形態における防犯カメラとして用いられるボックス型カメラを示す斜視図である。
【図１２】本発明の一実施の形態における防犯カメラの用途の一例を示す図である。
【図１３】本発明のカメラのカメラ運用システムの概念として例示した図。
【図１４】本発明のカメラのカメラ運用システムのシステム構成を例示した図。
【図１５】本発明のカメラのカメラ運用システムのシステム構成を例示した図。
【図１６】本発明のカメラのカメラ運用システムのシステム構成を例示した図。
【発明を実施するための形態】
【００１８】
本発明の防犯カメラ等について説明する。
【００１９】
＜＜Ｉ．発明の要旨＞＞
＜カメラ（防犯／監視カメラ）＞
本発明のカメラは，オペレーティングシステムと通信機能とを備えたカメラであって，前記通信機能により，インターネット上に公開されたアプリケーションプログラムを選択してインストールすることが可能なインストール機能部と，前記通信機能により，前記オペレーティングシステムないし前記アプリケーションプログラムを，随時，最新の状態に保つことが可能なシステム更新機能部と，当該カメラによる撮像情報を外部出力するための映像出力部と，を少なくとも備えることを特徴とする。
また，本発明のカメラは，オペレーティングシステムと通信機能とを備えたカメラの使用方法を具現化するものであり，前記通信機能により，インターネット上に公開されたアプリケーションプログラムを選択して，当該カメラにインストールするインストール工程と，前記通信機能により，前記オペレーティングシステムないし前記アプリケーションプログラムを，随時，最新の状態に保つ更新工程と，を含むことを特徴とする。
【００２０】
これにより，本発明のカメラは，インターネットを通じて使用目的に応じたアプリケーションプログラムをインストールすることが可能になるとともに，当該カメラを常に最新の状態に保つことが可能になる。したがって，本発明のカメラによれば，カメラとしての利便性と安全性を向上させることが可能になるという効果が得られる。
特に防犯カメラ（監視カメラを含む）の場合，設置後において最新のセキュリティ状態を保つことが極めて重要であるが，このセキュリティ状態を自動更新することが可能となり，カメラとしての利便性と安全性を飛躍的に向上させるという効果が得られる。
加えて，防犯カメラは，使用場所や使用用途に応じ，様々な形状ないし構成が異なるものである。すなわち，後述する通り，ドーム型カメラ，パレット型カメラ，ボックス型カメラ，PTZカメラ，小型カメラ，ないしこれらを車両やドローンなどの移動媒体に設置して用いた構成など，防犯カメラは多種多様であり，それぞれの使用用途に応じて，耐水性や耐熱性，センサー感度などのハード面や形状などが異なってくる。そのため本発明の防犯カメラにおいては，これら多種多様な防犯カメラを，アプリケーションプログラムのインストールによりカスタマイズし，利便性と汎用性のさらなる向上を可能とするものである。
【００２１】
本発明のカメラにおいて，アプリケーションプログラムをインストールする場合，カメラの構成や態様に応じて，種々の方法を採用することができる。
一つの例として，本発明のカメラに，キーボードやマウス，モニターを，有線的又は無線的に接続して，モニターを参照しながら，インターネット回線を通じてアプリケーションプログラムをインストールするなどである。
他の例として，スマートフォンやタブレット端末，パソコン等の別端末を用いて操作を行い，インターネットやプライベートネットワーク，サーバー等を介して，アプリケーションプログラムのインストールを行うなどである。
なお，これらは一例であり，いずれの方法を採用してもよいし，両方の方法を採用してもよい。また，本発明のカメラへのアプリケーションプログラムのインストールが可能な限り，他の方法を採用してもよい。
また，かかるインストールもしくはダウンロードの方法については，アプリケーションプログラムに限定されず，必要に応じて，画像やデータ，ファイル，APIなど，デジタル的に処理しうるあらゆるデジタル物について，採用することができる。これらデジタル物が，本発明のカメラの記憶領域等にインストールないし記録されることにより，インストール機能部ないしシステム更新機能部としての役割を果たすものである。
【００２２】
本発明のカメラは，当然のことながら，一度インストールしたアプリケーションプログラムを削除したり，当該カメラそのものを初期化するなどして，異なるアプリケーションプログラムをインストールしたりすることができる。
すなわち，後述する移動式防犯カメラなどの場合，イベントの性質に応じて，臨機応変にアプリケーションプログラムの追加・変更を行ったり，イベント終了とともにこれを初期化して異なるイベントに用いるなど，汎用性と経済性を優れたものとすることができる。
【００２３】
本発明において，カメラとは，人や物もしくは一定範囲を対象として，これら対象物の撮影・撮像を行うことを主たる機能とする機械器具として定義される。この意味において，通信・通話機能が主たる機能であり，撮影・撮像機能が付加的機能に過ぎないスマートフォンやタブレット端末などは本発明におけるカメラとは解されないものであるが，撮影・撮像機能以外の機能を完全に排除する趣旨ではない。
すなわち，本発明における自己発展型カメラないしプラットホーム型カメラという趣旨に沿ったカメラの構成ないし用途を達成しうる限り，他の機能を備えていても構わない。このような例として，後述する，ドローンなどの移動機能，店舗や電柱などに固定設置するための固定機能などが挙げられる。
【００２４】
本発明におけるカメラは，本発明の趣旨に沿う限り，特に限定されるものではなく，設置式のカメラであっても移動式のカメラであってもよい。
【００２５】
設置式のカメラとは，店舗や電柱など特定の場所に固定して設置することにより，常時，防犯・監視を行う方式として定義される。本発明のカメラは設置式とするために，設置機能（設置手段）を備えることができる。
【００２６】
移動式のカメラとは，防犯・監視時にカメラそのものの移動が可能な方式，もしくは任意の場所にカメラを移動させるための手段を備える方式，これらいずれか又は両方を備える方式として定義される。
本発明におけるカメラを移動式とする場合，移動方式について特に限定する必要はなく，種々の方式を採用することができる。
このような方式として，例えば，本発明のカメラを，陸上用移動媒体（自動車，二輪車など）や飛行用移動媒体（ドローンなど）に備える方式が挙げられる。これら移動媒体に本発明のカメラを備えることにより，イベントなど一時的に防犯・監視の需要がある場面において，容易に防犯・監視環境を構築・補強することが可能となる。また，イベントの性質に応じて，臨機応変にアプリケーションプログラムの追加・変更を行ったり，イベント終了とともにこれを初期化して異なるイベントに用いるなどに対応することが容易となり，本発明のカメラの汎用性と経済性を優れたものとすることができる。
本発明のカメラを移動式とする場合，本発明の趣旨である自己発展型カメラないしプラットホーム型カメラという趣旨に沿う限り特に限定する必要はなく，移動媒体と分離可能な構成としてもよいし，これと一体化した構成であってもよい。
【００２７】
本発明におけるカメラは，オペレーティングシステムならびに通信機能を備えるものである。また，これらにより，インストール機能部とシステム更新機能部と映像出力部とを備えるものである。
本発明におけるカメラは，これらの構成ないし機能を備えつつ，カメラとしての主たる機能を発揮しうる限り，特に限定されるものではなく，種々の構成のものとすることができる。このような構成の一例として，図１，図２，図３，図４，図１２等に例示される構成を挙げることができる。
【００２８】
本発明おいて，映像出力部は，当該カメラによって撮影等された映像を必要に応じ音声とともに外部出力しうる限り，特に限定されるものではなく，種々の構成のものとすることができる。
このような映像出力部としては，例えば，HDMI（登録商標）部，ディスプレイポート部，USBポート部，リモートデスクトップ接続部を選択することができる。また，これらの構成要素のいずれかを採用してもよく，複数を選択して採用することもできる。
映像出力部の別の態様として，後述する通信機能を用いたデータ出力により，映像出力を行ってもよい。
【００２９】
本発明において，通信機能は，インターネット接続が可能である限り，特に限定されるものではなく，種々の構成のものとすることができる。
このような通信機能としては，例えば，WiFi接続部，LAN接続部，SIM通信部を選択することができる。また，これらの構成要素のいずれかを採用してもよく，複数を選択して採用することもできる。
【００３０】
本発明において，当該カメラは，各種センサーを備えることが好ましい。これにより，当該カメラを，防犯ないし監視カメラとして用いることが可能となり，本発明のカメラとしての性能を向上させることが可能になるという効果が得られる。
このような各種センサーとしては，例えば，赤外線センサー，熱感知センサー，煙センサー，音声センサー，圧力センサー，振動センサー，磁気センサー，光電センサー，角度センサー，光センサー，タグ反応センサーなどが挙げられる。また，これらの各種センサーのいずれかを採用してもよく，複数を選択して採用することもできる。
【００３１】
本発明において，オペレーティングシステムは，本発明における自己発展型カメラないしプラットホーム型カメラという趣旨に沿った機能を発揮しうる限り，特に限定されるものではなく，種々のオペレーティングシステムとすることができる。
このようなオペレーティングシステムとしては，典型的には，アンドロイド（登録商標）OS，Windows OS，iOS OS，Linux（登録商標）系OS（Ubuntu，Linux（登録商標） mint，elementaryOS，ZorinOS，Fedora，CentOS，Debian）などから選択することができる。また，オペレーティングシステムは，これらに限定されるものではなく，独自のオペレーティングシステムを構築して用いてもよい。
オペレーティングシステムとしては，アンドロイド（登録商標）OSを用いることが好ましい。この好ましい構成によれば，本発明におけるプラットホーム型カメラとしてのアプリケーションプログラムの導入を促進することができ，本発明の防犯カメラの趣旨に適した開発を促進することが可能になるという効果が得られる。
本発明のカメラで用いられるオペレーティングシステムについては，カメラの記憶領域（記録部）に記録される。かかる記憶領域として，SSDやHDDなどの媒体を用いたり，ICを用いてもよい。アプリケーションプログラムについても同様である。
【００３２】
本発明のカメラは，自己発展型カメラないしプラットホーム型カメラという趣旨に沿った機能を発揮するとともに，これに有用な用途である限り，特に限定されることなく，種々の用途に用いることができる。
このような用途としては，例えば，図１０ないし下記に示される用途が挙げられる。これら各種用途は，本発明のカメラを基礎として，インストールされたプログラムが，映像や各種センサーの一時情報を基に，AIによる認識や判定を行うことで達成されうるものである。
(1)  防犯用途（犯罪防止を目的とする使用）
(2)  監視用途（人や動物，物などの監視を目的とする使用）
(3)  事故検知用途（広義の防犯用途ないし監視用途の使用であり，例えば，車同士の接触などを，AIアプリなどで自動検知し，発信を行うための使用）
(4)  異常検知用途（広義の防犯用途ないし監視用途の使用であり，例えば，銀行などで異常行動を行う者を検知し，発信を行うための使用）
(5)  万引防止用途（広義の防犯用途ないし監視用途の使用であり，例えば，万引行動を検知し，店員に知らせるための使用）
(6)  見守り用途（広義の防犯用途ないし監視用途の使用であり，例えば，子供や老人の外出・帰宅，老人や認知症者の徘徊行動や温度検知などを行い，必要があれば，親族や関係者に発信を行うための使用）
(7)  ナンバープレート認識用途（広義の防犯用途ないし監視用途の使用であり，例えば，登録ナンバーを認識することにより，お得意客の来客をすぐに検知・発信したり，登録されていないナンバープレートの車が駐車した場合に警告を発したり，駐車場が満杯となった場合や長時間の駐車を検知・発信するための使用）
(8)  着せ替え用途（服飾店の着替え室などで，着替えを行った際に，購入の意思表示をするのみでこれを検知・発信を行い，レジにて商品準備をしておくなどの使用）
(9)  注文検知用途（飲食店などで，注文や料理を運ぶタイミングなどを検出・発信するための使用）
【００３３】
本発明の防犯カメラは，自己発展型カメラないしプラットホーム型カメラという趣旨に沿った機能を発揮するとともに，防犯ないし監視のための用途として用いうる限り，特に限定されることなく，種々の形状ないし構成のものとすることができる。このような形状ないし構成としては，例えば，ドーム型カメラ，パレット型カメラ，ボックス型カメラ，PTZカメラ，小型カメラが挙げられる。
【００３４】
上記のとおり，本発明のカメラは，各種構成を備えるものであり，ハード開発者によってプラットホーム型カメラとして開発が行われるものである。また，ハード開発者によってプラットホーム型カメラの各種仕様・構成が開示されることにより，アプリ開発者は，当該ハードに応じたアプリケーションプログラムを自由に開発し，提供することが可能となる。
これらより，プラットホーム型カメラを開発するハード開発者，アプリケーションプログラムを開発するアプリ開発者，これら両者による開発がそれぞれ行われ，ハード，ソフト，それぞれの進化が促進され，優れたカメラの提供が可能となる。
【００３５】
＜カメラ運営システム＞
本発明のカメラ運営システムは，上述するカメラ（防犯／監視カメラ）のためのカメラ運用システムであって，インターネット回線を通じて，第三者が作製したデジタル物を受信するデジタル受信部と，前記デジタル物を提供するためのデジタル提供部とを少なくとも備えることを特徴とする。
すなわち，本発明のカメラ運営システムは，自己発展型カメラをカスタマイズするためのプログラム等の提供を基本的な役割として備えるものである。
【００３６】
本発明においてデジタル物とは，自己発展型カメラもしくはこれにより得られるデータの使用もしくは利用に供することが可能であって，電磁的に提供されるものとして定義される。このようなデジタル物として，例えば，アプリケーションプログラム，画像データ，APIなどが挙げられる。
また，デジタル物については，自己発展型カメラそのもののみならず，他の端末に提供することも可能である。
このような態様として，例えば，自己発展型カメラを無線的に管理するためのスマートフォンやタブレット端末等に提供される管理プログラムや，自己発展型カメラから継続的にインターネット回線を通じて画像データが提供されているパソコンに対して提供される画像解析プログラムやなどが挙げられる。
【００３７】
本発明のカメラ運営システムの基本的な流れとしては，下記のとおりである。
(1)  本発明の自己発展型カメラの仕様については，必要最低限の情報は公開されており，これを見た第三者（以下，「デジタル物作製者」）が，自己発展型カメラに応じたプログラム，画像データ，APIなどのデジタル物を作製する。
(2)  作製されたデジタル物が，インターネット回線を通じて，カメラ運営システムに提供され，デジタル受信部により受信・記録される。
(3)  自己発展型カメラの使用者（以下，単に「使用者」）は，インターネット回線を通じて，デジタル物をダウンロードして使用する（使用者の求めに応じて，デジタル提供部によりデジタル物が提供される）。
(4)  また，デジタル提供部は，必要に応じ，OSやプログラム等の更新ないしダウンロードを自動的に行うことができる。
【００３８】
第三者によるデジタル物については，必要に応じ，カメラ運営システムの管理者（以下，単に「管理者」）が確認・認証を行ったうえで，デジタル物としての提供を行う（デジタル認証部）。
また，デジタル物の提供は，例えば，インターネットウェブサイトを通じて提供してもよいし，専用アプリなどを通じて提供してもよい。さらに，デジタル物については，有料（制限解除による有料化や利用料としての継続的な収益などを含む）であってもよいし，無料であってもよい。このようなデジタル物の販売ないし使用による対価が，使用者から管理者に支払われ，これの一部がデジタル物作製者に支払われる。これにより，デジタル物の豊富化が図られるとともに，自己発展型カメラの利便性を向上させるという効果を有する。
また，管理者は，デジタル物の確認・認証のみならず，カメラそのものの認証を行うなどすることができる。すなわち，カメラが一定の規格ないし品質基準を満たしている場合においてのみ，カメラ運営システムの利用を可能とするための電磁的認証をカメラに求め，これが完了した後にのみ，カメラ運営システムの利用を可能とするなどである。かかるカメラの認証のための電磁的記録は，任意の手段でおこなうことができ，例えば，IC上に記録させたり，SSDなどの記録媒体に記録させるなどである。
【００３９】
さらに，本発明のカメラ運営システムの好ましい態様として，インターネット回線を通じて，カメラからのデータを受信するカメラデータ受信部と，前記データの解析を行うデータ解析部と，解析されたデータの送信を行う解析データ送信部とを備えるものである。
すなわち，カスタマイズ化された自己発展型カメラの利用を，インターネット回線を通じて，促進・サポートすることができ，本発明のカメラの利便性を向上させる効果を有する。
【００４０】
＜＜II．実施の形態＞＞
以下，好適な実施の形態を用いて本発明をさらに具体的に説明する。但し，下記の実施の形態は本発明を具現化した例に過ぎず，本発明はこれに限定されるものではない。
【００４１】
＜カメラの構成＞
まず，本発明の一実施の形態におけるカメラの構成について，図１から図９を参照しながら説明する。
【００４２】
図１から図４に示すように，本実施の形態のカメラ１は，オペレーティングシステム２と通信機能３とを備えている。
【００４３】
オペレーティングシステム２は，アンドロイド（登録商標），iOS，windows系，リナックス（登録商標）系などから選択され，構成される（図１）。
これらオペレーティングシステム２は，IC上にOSチップとして備えられるものである。また，記憶媒体であるSSDやHDDなど保存してもよい。なお，プログラム等の保存についても同様であり，IC上であったり，SSD等に保存・記録することができる。
【００４４】
通信機能３は，WiFi，有線LAN，SIM通信，Bluetooth（登録商標）などを標準的機能として備えている（図１）。
本実施の形態のカメラ１は，これらの通信機能のいずれか又は複数を利用して，インターネットへの接続を可能とするものである。これらの通信機能は，本発明のカメラの設置場所や使用目的など種々の観点から，適宜，選択できる構成となっている。また，通信機能３により，スマートフォンやタブレット端末などによるリモート接続が可能となり，これにより，別端末からの操作，もしくは別端末への映像ないし音声出力が可能となるものである。
また，かかる通信機能により，OSやプログラムの自動更新を行うことができる。なお，自動更新について，例えば，所定の時間に自動更新する設定としてもよいし，更新プログラムのダウンロードのみ自動で行い，更新作業そのものについては使用者が選択して行うなど，利用目的や利用場所，利用状況など，種々の観点から，様々な設定を行うことができる。
【００４５】
本実施の形態のカメラ１は，USB端子，音声入出力端子，映像出力端子を備えており，これを通じて，必要に応じ，キーボード，マウス，モニター，マイク・スピーカーなど，各種付属機器に接続して使用することが可能である（図１）。これら付属機器については，各種端子を用いた有線接続のみならず，Bluetooth（登録商標）などにより無線的に接続して使用してもよい。
【００４６】
本実施の形態のカメラ１は，上述のとおり，有線的または無線的な通信手段を備えることにより，図５に示す種々の方法で，カメラのカスタマイズを行うことができる。
第一の方法として，カメラ１に，マウス，キーボード，ディスプレイ等を有線的に接続して，操作を行い，各種プログラムをインストールする方法である。
第二の方法として，カメラ１に対し，ネットワーク回線等を用いて無線的に，各種プログラムをインストールする方法であり，スマートフォンやタブレット，ノートパソコンをリモート端末として用いる方法である。かかる場合は，これら端末に，カメラ１のカスタマイズをするための専用プログラムをインストールして，かかるプログラムから，カメラ１のカスタマイズを行うなどすればよい。なお，カメラ１とリモート端末同士による直接的な無線通信（bluetoothや赤外線通信など）についても同様である。
第三の方法として，サーバ（クラウドサーバ，リアルサーバ）を経由して，スマートフォン，タブレット，ノートパソコン等に接続し，各種プログラムをインストールする方法である。
【００４７】
本実施の形態のカメラ１は，内部に固定された記憶媒体としてHDDやSSDを，取り外しが可能な記憶媒体としてSDカードを備えるものである（図１）。
これら記憶媒体は，アプリケーションプログラムや撮像動画などの保存を主たる目的として用いることができる。なお，必要に応じ，OSチップの代替として，SSD等にOSをインストールすることもできる。
【００４８】
本実施の形態のカメラ１は，これらの構成のほか，内部にビデオコーデックやビデオアナリティクスなどの映像処理関連の構成を備えるものである（図２）。
これらの構成により，カメラで撮像された映像の基本的な処理が可能となるものである。また，これらを通じて撮像された映像は，アプリケーションプログラムで解析処理等されることにより，図１０などに示す各種使用形態を達成しうるものである。
【００４９】
図２ないし図４は，本実施形態のカメラの構成例である。いずれにおいても，カメラや各種センサーなど防犯／監視カメラとしての基本的な構成を備えつつ，制御系，ストレージ，通信機能などを備えるものである。
本実施形態のカメラにおいて，図２のようにCPUによる制御や，図３ないし図４のようにCPUとICによる制御を行うことができる。
【００５０】
図２の構成においては，CPUにて制御を行い，SSDやHDDなどのストレージにOSを備えるものである。同様に，プログラムについても，これらストレージ系にインストールされるものであり，必要最低限のプログラムについては，プリインストールされている。
【００５１】
図３や図４の構成は，CPUとICにより制御を行うものである。すなわち，ICにおいては，通常，CPUよりも高速で処理を行うことが可能となるため，これらが連動することで，カメラとしての基本的な性能の向上を図るものである。
この場合において例えば，主たる処理をICにより行い，それ以外（例えば通信やセキュリティ、ICプログラム更新など）をCPUが行うなどである。
また，IC上では，カメラとしての基本的な機能をプリインストールすることができ，例えば，ICチップにおいてプログラムの更新を行う必要がない場合は，ASIC(application specific integrated circuit)やASIP(application specific instruction-set processor)に代表されるように，カメラの出荷時点でICチップにプログラムを組み込むことができる。また，OSを，SSDやHDDなどの記録媒体に組み込むだけでなく，ICに組み込むこともできる。
【００５２】
図６に示すように，アプリ開発者Ｄ１，Ｄ２，Ｄ３，・・・は，アプリケーションの開発を行い，インターネット上にアプリケーションプログラムＡ１，Ａ２，Ａ３，Ａ４，・・・を公開する。
本発明のカメラ（１，１’，１’’，１’’’）は，インターネット上のアプリケーションプログラムのうち，適宜，必要なアプリケーションプログラムを選択して，インストールすることができる。図４に例示するように，ドーム型カメラ１はＡ４とＡ５，パレット型カメラ１’はＡ１とＡ２，ボックス型カメラ１’’はＡ６とＡ７，ドローン型カメラ１’’’はＡ８とＡ９をそれぞれインストールするものである。
【００５３】
図７に示すように，同一ハードのドーム型カメラであっても，使用場所や使用目的など種々の観点から，適宜，異なるアプリケーションプログラムをインストールすることが可能である。加えて，通信機能を通じたプログラムの更新や，アンインストール・インストールを繰り返すなどすることができる。
なお，これらアプリケーションプログラムＡ１，Ａ２，Ａ３，Ａ４，・・・等は，当該カメラ１に内蔵された記憶媒体６に保存される。
【００５４】
図８に示すように，カメラからの情報（映像情報，音声情報，各種センサーの情報，およびこれらを加工した二次情報や注意情報など）というのは，インターネット回線を通じて，監視者等Ｏ１，Ｏ２，Ｏ３，・・・のノートパソコンやスマートフォン等に出力することができる。かかる出力については，常時出力する形式としてもよいし，必要時に出力する形式としてもよい。
また，カメラからの情報を一次情報（加工されていない情報）として，監視者等の端末や，後述するカメラ運営システムに送信し，送信先の端末で解析・加工する仕様とすることもできる。
【００５５】
なお，当該カメラ１は，赤外線センサーなどの各種センサー５を備えている（図２）。各種センサー５としては，例えば，赤外線センサー，熱感知センサー，煙センサー，音声センサー，圧力センサー，振動センサー，磁気センサー，光電センサー，角度センサー，光センサー，タグ反応センサーなどのいずれか又は複数を採用することができる。これにより，当該カメラ１を，防犯ないし監視カメラとして用いる場合のより好ましい態様とすることができ，本実施の形態の防犯カメラとしての性能を向上させることができる。
【００５６】
当該カメラ１は，設置式の防犯カメラとして用いることができる。そして，上記のように各種センサー５を備えるようにすれば，防犯カメラとして用いる場合のより好ましい態様とすることができ，防犯カメラとしての性能を向上させることが可能になる。
また，防犯カメラの場合，設置後において最新のセキュリティ状態を保つことが極めて重要であるが，このセキュリティ状態を自動更新することが可能となれば，カメラとしての利便性と安全性を飛躍的に向上させることができる。
図４に示すように，防犯カメラとしての形状ないし構成としては，例えば，ドーム型カメラ１（図９），パレット型カメラ１’（図１０），ボックス型カメラ１’’（図１１），PTZカメラ，小型カメラのいずれかから選択することができる。PTZカメラとは，パン・チルト・ズームの３つの機能を持ったカメラのことである。
【００５７】
＜カメラの使用方法＞
次に，本発明の一実施の形態におけるカメラの使用方法について，図１２を合わせて参照しながら説明する。図１２は，本発明の一実施の形態における防犯カメラの用途の一例を示す図である。
【００５８】
本実施の形態のカメラの使用方法は，オペレーティングシステム２と通信機能３とを備えたカメラ１（図１，図２）の使用方法である。さらに詳しくいうと，本実施の形態のカメラの使用方法は，当該カメラ１を，使用目的に応じてカスタマイズするための方法である。
図６等に示すように，カメラ１の使用方法は，通信機能３により，アプリ開発者Ｄ１，Ｄ２，Ｄ３，・・・が開発してインターネット上に公開されたアプリケーションプログラムＡ１，Ａ２，Ａ３，Ａ４，・・・を選択して，当該カメラ１にインストールするインストール工程と，通信機能３により，オペレーティングシステム２ないしアプリケーションプログラムＡ１，Ａ２，Ａ３，Ａ４，・・・を，随時，最新の状態に保つ更新工程と，を含んでいる。なお，図２，図５に示すように，最初にインストールされ，あるいは，更新されたアプリケーションプログラムＡ１，Ａ２，Ａ３，Ａ４，・・・等は，当該カメラ１に内蔵された記憶媒体６に保存される。
この場合，一度インストールしたアプリケーションプログラムＡ１，Ａ２，Ａ３，Ａ４，・・・を削除したり，当該カメラ１そのものを初期化するなどして，異なるアプリケーションプログラムをインストールしたりすることもできる。
【００５９】
これにより，当該カメラ１は，使用目的に応じて最適にカスタマイズされ，図１２等に示すような様々な用途（特に，防犯又は／および監視の用途）に用いることが可能となる。
【００６０】
＜カメラ運用システム＞
本発明のカメラ運用システムについて，図面を例にとって説明を行う。
【００６１】
図１３は，本発明のカメラ運用システムの例を，概念として示した例である。
本発明のカメラ運用システム（プラットフォーム）においては，プログラム等が備えられている。かかるプログラム等には，開発者（プログラムを専門的に開発する者）によるものが多数アップロードされている他，ハード作製者（カメラそのものの作製と合わせて，これに必要な基本的なプログラム等を提供する者）によるプログラムなどもアップロードされている。
かかるプログラム等のデジタル物を，利用者は，カメラにダウンロードを行い，適宜，インストール等して使用する。かかる使用については，有料であってもよいし，無料であってもよく，開発者による仕様ないしプラットフォーム管理者による認証などを得て決定される。
その他，カメラ運用システムにおいて，処理等を行うプログラムも提供される。すなわち，カメラのデータが，カメラ運用システムに，適時（又は継続的に）アップロードされ，かかるデータが，プラットフォーム上のプログラムにより，解析等される。解析された結果は，データもしくは通知として，カメラ使用者（カメラ使用者に委託管理を受けている者を含む）に還元される（不図示）。これにより，カメラにおいて，負荷の大きい解析処理を行うことなしに，高度な解析情報を得ることができ，本発明のカメラないしカメラ運用システムの利便性の向上が期待できる効果を有する。なお，かかる解析プログラムは，別途，利用者が使用する端末（カメラとは異なるパソコン等）にダウンロードして使用することもできる。
【００６２】
図１４から図１６は，本発明のカメラ運用システムについて，装置構成を基に模式化して表した図である。図中，矢印を付した線のうち，点線は無線的な通信を，実線は有線的な通信を，それぞれ示している。また，矢印の向きは，主たる通信方向を示している。
【００６３】
図１４ならびに図１５は，カメラ運用システムの最も基礎的な構成を示している。
開発者は，アプリケーションプログラム（P1）の開発を行い，カメラ運用システムのデジタル受信部へ送信を行う。かかるプログラムP1は，必要に応じ，カメラ運用システムにおける確認・認証を経て，認証されたプログラム（P'1）として記録され（デジタル物等記録部），デジタル提供部を通じて提供可能となる。
カメラ使用者は，インターネット回線を通じて，カメラ運用システムにアクセスする。かかる場合，インターネットウェブサイトを通じてアクセスしたり，専用アプリを通じてアクセスするなどすることができる。
カメラ運用システム上に公開されているアプリケーションプログラムから適切なプログラムを選択し，カメラにプログラムP'1のインストールを行う。カメラでは，取得したデータを外部出力することができ（例えば，図７），また，カメラ運用システム上のカメラデータ受信部にデータDa1を送信することができる。
送信されたデータDa1は，カメラ運用システムのデータ解析部により解析される。解析後のデータ（解析データ，Da'1）は解析データ送信部により送信され，カメラないしカメラ使用者（図１３），もしくは，カメラとは異なる管理端末に送信される（図１４）。
【００６４】
図１６は，カメラ運用システムの異なる構成を示している。
開発者は，アプリケーションプログラム（P2）や画像解析プログラム（P3）の開発を行い，カメラ運用システムのデジタル受信部へ送信を行う。かかるプログラムP2，P3は，必要に応じ，カメラ運用システムにおける確認・認証を経て，認証されたプログラム（P'2，P'3）として記録され（デジタル物等記録部），デジタル提供部を通じて提供可能となる。
カメラ使用者は，カメラにアプリケーションプログラムP'2，管理端末に解析プログラムP'3のインストールを行う。カメラでは，取得したデータDa2を管理端末に送信し，管理端末上で解析を行うことができる。
【符号の説明】
【００６５】
１  カメラ（ドーム型カメラ）
１’  パレット型カメラ
１’’  ボックス型カメラ
１’’’  ドローン搭載カメラ
２  オペレーティングシステム
３  通信機能
４  映像出力部
５  各種センサー
６  記憶媒体
Ａ１，Ａ２，Ａ３，Ａ４，・・・  アプリケーションプログラム
Ｄ１，Ｄ２，Ｄ３，・・・  アプリ開発者
【図１】
2020102846.tif 000003
【図２】
2020102846.tif 000004
【図３】
2020102846.tif 000005
【図４】
2020102846.tif 000006
【図５】
2020102846.tif 000007
【図６】
2020102846.tif 000008
【図７】
2020102846.tif 000009
【図８】
2020102846.tif 000010
【図９】
2020102846.tif 000011
【図１０】
2020102846.tif 000012
【図１１】
2020102846.tif 000013
【図１２】
2020102846.tif 000014
【図１３】
2020102846.tif 000015
【図１４】
2020102846.tif 000016
【図１５】
2020102846.tif 000017
【図１６】
2020102846.tif 000018